【事件の表示】
　平成３年特許願第２３７２８号「カラープリンタの色補正方法および色補正装置」拒絶査定に対する審判事件（平成４年８月２８日出願公開、特開平４−２４０８７１）について、次のとおり審決する。
【結論】
　本件審判の請求は、成り立たない。
【理由】
１．手続の経緯、本件発明
　本願は、平成３年１月２５日の出願であって、その請求項１及び２に係る発明は、平成１１年１月６日付けの手続補正書により補正された内容を含む明細書及び図面の記載からみて、特許請求の範囲の請求項１及び２に記載されたとおりの次のものと認められる。
「【請求項１】電子写真方式のカラープリンタにおいて印刷データが準備され、必要に応じて予め記憶されているテストパターン像を形成させ、そのテストパターン像を印刷用紙への転写以前に測定し、その測定結果を前処理して得た情報を基にして、次の出力のための印刷データを、各色の濃度目標値から各色の測定値を減算して各色の補正値を求めて前記次の出力のための印刷データの濃度値に色補正値を加算して、印刷データを出力する直前の状況を読み取らせてテストパターン像を印刷用紙へ転写することなく色補正することを特徴とするカラープリンタの色補正方法。
　【請求項２】
　電子写真方式のカラープリンタにおいて、
　ドラム上の外表面が受光されて感光するように形成された感光体（１１）と、感光体外周部の現像部下流側に配置した測定部（１３）と、測定結果を前処理する前処理部（１４）と、印刷データを格納する印刷データ格納部（１５）と、テストパターンを格納するテストパターン格納部（１６）と、印刷データが前記印刷データ格納部（１５）に準備されると、必要に応じてテストパターンをテストパターン格納部（１６）から出力させてテストパターン像を形成させ、測定部（１３）に印刷用紙への転写以前に測定させ、その測定データを前処理部（１４）で前処理させ、その前処理されたデータに基づき、次の出力のための印刷データを、各色の濃度目標値から各色の測定値を減算して各色の補正値を求めて前記次の出力のための印刷データの濃度値に色補正値を加算して、印刷データの出力する直前の状況を読み取らせてテストパターン像を印刷用紙へ転写することなく色補正する主処理部（１７）とを備えたことを特徴とするカラープリンタの色補正装置。」
２．引用例記載の発明
　これに対して、原査定の拒絶の理由に引用された引用例２には以下の事項が記載されている。
引用例２：特開昭５９−１６３９６７号公報
（ａ）「本発明はカラー複写機のプリンタ等の像再生システムに関する。以下感光ドラムを用いてカラー再生するプリンタを例に説明する、これは色信号Ｂ、Ｇ、Ｒを処理してレーザを制御し、感光ドラムにＹ、Ｍ、Ｃ、ＢＫの潜像を形成し、Ｙ、Ｍ、Ｃ、ＢＫの現像剤により現像し転写紙に転写してカラー像を形成するものである。」（第１頁左下欄第１３〜２０行）、
（ｂ）「本発明は……、基準階調信号を発生させ、それを処理した出力により安定して良好な画質のカラー再生を可能にしたものである。」（第１頁右下欄第３〜６行）、
（ｃ）「第１図に本実施例を示す。原稿１は原稿台の透明板２の上に置かれ原稿マット３により固定される。感光ドラム２４、転写ドラム５３は矢印方向に回転し、カラープロセスを実行する。１２は分光用ダイクロミラー、１４、１６，１８は分光をセンスして色信号Ｂ、Ｇ、Ｒを発生するＣＣＤである。ランプ８，ミラー９，１０を往復動して原稿１を走査し同時に各ＣＣＤからカラー信号Ｂ、Ｇ、Ｒを出力し、再生用Ｙ信号を作り、その後再び往復動してＭ信号を出力し、以上の走査を４回くり返してＹ、Ｍ、Ｃ、ＢＫ信号を形成し、レーザを制御しドラム２４上に各色潜像を順次形成する。各色を順次現像し転写ドラム５３を４回転してその上の紙にくり返し転写し、フルカラーコピーを得る。」（第１頁右下欄第７行〜第２頁左上欄第１行）、
（ｄ）「又後に述べるカラーバランス、階調性の自動制御をする為のテストチャート４を原稿より手前に設けている。テストモードスイッチ１６５のオンを条件にコピーキー１６６をオンすると照明ランプが原稿に沿って移動する際にこのテストチャート４をも走査してＣＣＤは基準信号を発生することになる。各固体撮像素子１４、１６，１８の出力を後に述べる画像処理部２７を経て半導体レーザ２１よりポリゴンミラー２２へ光出力として照射する。ポリゴンミラー２２はスキャナモータ２３により回転させられている為に感光ドラム２４の回転方向に垂直にレーザ光が走査される。」（第２頁左上欄第１９行〜右上欄第１１行）、
（ｅ）「第２図は、画像処理ユニットのブロック図を示す。ダイクロフィルタより３色に分解された原稿の光が固体撮像素子１４、１６，１８に受光される。その出力をＣＣＤ受光ユニット６１、６２，６３でＣＣＤ中の複数の画素の情報を増巾し、Ａ／Ｄコンバータ化して次のシーデングユニット２８に送る。次に本体制御部６４からチャート４の白色部を光学系が通過する時に信号が送られ、ＣＣＤの出力レベルが一定になるように更正するのがシエーデングユニット２８である。シエーデングユニット２８から次にγ補正ユニット２９でＣＣＤの入力感度を本体制御部６４の信号により切り換える。その信号をマスキング処理ユニット３０において各Ｂ、Ｇ、Ｒ信号を同時に演算処理を行って、各色成分の混合比を変えて色補正を行なう。各色の混合比は本体制御部の信号の切り換えにより行なう。その信号をＵＣＲ処理ユニットでＢ、Ｇ、Ｒの最小値信号を判別し、その最小信号に、本体制御信号で任意の係数をかけた値を黒レベル信号とする。その値を各色から減じるか減じないかは本体制御信号による。ここで各色Ｂ、Ｇ、Ｒ、ＢＫの信号のうち、本体制御部６４のセレクト信号によってこのうちの一色の信号がデザ処理ユニット３２に送られる。デザ処理ユニット３２では、各色信号が深みのある信号、例えば６ｂｉｔ信号であるのをテーブル参照のＲＯＭを利用して比較し、１．０のデジタル信号に変換し、レーザの変調し易い様にする。次にデザ処理ユニット３２の内部に並列にデザ処理するブロック即ち域値レベルの高いものを配列したデザＲＯＭと低いものを配列したデザＲＯＭを設けてこれによる出力をセレクトする多値化処理ユニット３３を通す。これは１画素を例えば３値（高、中、低）の濃度で表せるようにしたものでこの処理ユニットのセレクトコントロールを本体制御部で行なう。その多値化処理ユニットは１画素を１、０．５、０のパルス巾で出力しようとするもので、その出力によりレーザドライバーユニット３４でレーザ２１を駆動する。これは入力信号と上記２つのデザＲＯＭとをそれらのコンパレータで同時に比較処理し、それらの各出力をタイミングをとって時間的に順次制御しそれらをオアの関係で出力する。又カラー別にデザＲＯＭのパターンが違う。」（第３頁左上欄第７行〜左下欄第１０行）、
（ｆ）「定着器６０に至る経路に発光ダイオードとホトトランジスタからなるホトセンサユニット１７０を設け複写紙上に形成されたチャート画像を読み取る。第５図は複写紙上に形成されたチャート４の画像位置とホトセンサユニット１７０の配置で、反射型センサ構成であり、図の様にホトトランジスタと発光ダイオードが交互に並らんでいる。第７図はテストモードにおけるカラー補正制御を示すフローチャートで、これは第２図の本体制御部のマイコンＣＰＵのメモリ６８（第３図）にプログラムされている。ＣＰＵにはテストモードスイッチ１６５、コピーキー１６６、警告ランプ１６７、ストップランプ１６８、センサユニット１７０が接続されている。一般的に感光ドラムや現像剤が疲労すると濃度が低下ししかも濃い部分と薄い部分の濃度差が少なくなる。
　本発明例は、この差が小さいことを検出した時は現在のメモリよりもさらにγの立ったつまり入力データの変化量に対し出力データの変化量の大きいメモリを選択するようにしていつも一定の階調が得られる。テストモードスイッチ１６５をオンするとまずリセット釦の入力判定をする（ステップ１ａ）。これは、例えば各色ごとに４種のγカーブがセットされたＲＯＭメモリが３色対応して各々あるが、これらのうちγカーブの傾斜がもっともゆるやかなメモリを各色について選択するためのもので、スイッチＳＷＢ１、ＳＷＧ１、ＳＷＲ１を選択する。例えばブルー画像のγを決定するスイッチはＳＷＢ１、ＳＷＢ２、ＳＷＢ３、ＳＷＢ４と４個有り数字が大きいほどγの傾斜が急になっている。
　尚メンテナンス例えばドラム交換をした直後にはサービスマンがリセット釦（図示せず）を押すことによりステップ２ａ、３ａの所でＳＷＢ１、ＳＷＧ１、ＳＷＲ１をＯＮしてγをリセットする。この間本体制御部６４はドラム駆動モータに同期した基準パルス発生装置７０からのクロック入力をドラム上への潜像形成開始からカウントすることでホトセンサ１７０の下にパッチ画像の白の中心が到来したタイミングを判断し（ステップ４ａ）ホトセンサ１７０からの信号を読み込み（５ａ）、階調の違うパターンをセンスする４個のホトトランジスタの間で例えば０．１Ｖ以上差があれば（６ａ）、発光ダイオードに流す電流を調整し（７ａ）、差をなくす。これは自動的に１７０の発光ダイオードをＤ／Ａ変換信号で制御することによりできる。尚上記差を零にする調整をせずこのホトトランジスタ間のバラツキを記憶しておいてＢ、Ｇ、Ｒの画像を読み込んだ時にその値に補正を加えることにより前補正することもできる。次にステップ４ａの時と同様にパッチ画像のブルー部分の中心になったとき（８ａ）にホトセンサの信号を読み込み（９ａ）ホトトランジスタ４個間の差が一定値たとえば０．６Ｖ以上ずつあれば階調が充分あると判断し（１０ａ）、もし０．５９Ｖ以下の時は現在の選択されているカラー別γメモリのγ選択スイッチＳＷＢ１〜４のどれがＯＮか判断し（１１ａ、１２ａ、１３ａ）、たとえばＳＷＢ１がＯＮの時はＳＷＢ１をＯＦＦにし次のＳＷＢ２をＯＮにする。もしＳＷＢ３がＯＮの時はＳＷＢ３をＯＦＦしＳＷＢ４をＯＮする。ＳＷＢ４よりさらにγの急なメモリはないのでこれ以上画質が悪いと補正できないことを警報ランプ１６７により知らせる（１８ａ）。
　またさらに疲労が進んだり或いは照明ランプ５，６が切れたとかその他の異常で正常な画像が形成されなくなった時は（１３ａ）、ストップランプ１６ＢをＯＮし（１４ａ）、次の複写動作がリセット釦を押すまで禁止される。以下グリーン、レッドに対しても同様である。
　尚各ホトトランジスタ間で所定電圧があるか否かの判定は２つのホトトランジスタ同志間に設けたアナログオペアンプの各出力が１か否かを判定することにより可能である。このようにしてテストチャートからカラー毎のγ補正ユニット２９の特定のメモリを選択する。」
（第３頁右下欄第１３行〜第４頁右下欄第９行）、
（ｇ）「他の例としてチャートの画像を複写紙に転写しないで、第６図のドラム位置に作成し、ホトセンサでドラム上のチャートの画像を検出することによりテストモードを設けることなく通常のコピー中に補正することもできる。」（第５頁左上欄第９〜１３行）、
（ｈ）「またチャートを貼り付けるのではなくチャートを読んだのと同じ信号を発生する回路を内蔵しても良い。」（第５頁右上欄第２〜４行）、及び
（ｉ）「チャートの画像を読み取り選択するメモリをかえてγカーブをかえたがさらに…レーザ２１の光量、…をかえる事でさらに補正範囲を広くする事が出来る。」（第５頁右上欄第５〜９行）が、それぞれ図面と共に記載されている。
　よって、これらの記載から、引用例２には「カラー複写機のプリンタにおいて画像信号が準備され、必要に応じてチャートを読んだのと同じ信号を発生する回路からチャート画像を形成させ、そのチャート画像を複写紙への転写以前に測定し、その測定結果を前処理して得た情報を基にして、次の出力のための画像信号を、各色の階調に応じてγカーブを選択して前記次の出力のための画像信号をγカーブで補正して、さらにレーザの光量を変えることで、画像信号を出力する直前の状況を読み取らせてチャート画像を複写紙へ転写することなく色補正することを特徴とするカラープリンタの色補正方法。」及び
「カラー複写機のプリンタにおいて、
　ドラム上の外表面が受光されて感光するように形成された感光ドラムと、感光ドラム外周部の現像部下流側に配置したホトセンサユニットと、測定結果を前処理する前処理部と、画像信号処理部と、チャートを読んだのと同じ信号を発生する回路と、画像信号が前記画像信号処理部に準備されると、必要に応じてテストチャートをチャートを読んだのと同じ信号を発生する回路から出力させてチャート画像を形成させ、ホトセンサユニットに複写紙への転写以前に測定させ、その測定データを前処理部で前処理させ、その前処理されたデータに基づき、次の出力のための画像信号を、各色の階調に応じてγカーブを選択して前記次の出力のための画像信号をγカーブで補正して、さらにレーザの光量を変えることで、画像信号の出力する直前の状況を読み取らせてチャート画像を複写紙へ転写することなく色補正する主処理部とを備えたことを特徴とするカラー複写機のプリンタの色補正装置。」が記載されているものと認められる。
３．対比・判断
　引用例２に開示された第１の発明（以下、「引用例第１発明」という。）と本件請求項１に係る発明（以下、「請求項１発明」という。）とを対比すると、引用例第１発明における、「カラー複写機のプリンタ」、「画像信号」、「チャートを読んだのと同じ信号を発生する回路からチャート画像を形成させ」、「チャート画像」、及び「複写紙」、がそれぞれ請求項１発明における、「電子写真方式のカラープリンタ」、「印刷データ」「予め記憶されているテストパターン像を形成させ」、「テストパターン像」、及び「印刷用紙」に相当することは明らかであるので、両者は、「電子写真方式のカラープリンタにおいて印刷データが準備され、必要に応じて予め記憶されているテストパターン像を形成させ、そのテストパターン像を印刷用紙への転写以前に測定し、その測定結果を前処理して得た情報を基にして、次の出力のための印刷データを、各色の補正条件を求めて前記次の出力のための印刷データを補正条件で補正して、印刷データを出力する直前の状況を読み取らせてテストパターン像を印刷用紙へ転写することなく色補正することを特徴とするカラープリンタの色補正方法。」で一致し、印刷データの色補正方法が、請求項１発明では、各色の濃度目標値から各色の測定値を減算して各色の補正値を求めて前記次の出力のための印刷データの濃度値に色補正値を加算しているのに対し、引用例第１発明では、各色の階調に応じてγカーブを選択して前記次の出力のための画像信号をγカーブで補正して、さらにレーザの光量を変えることで補正している点、で相違しているものと認められる。
　そこで、上記相違点について検討する。
　請求項１発明における色補正方法は、各色の濃度目標値から各色の測定値を減算して各色の補正値を求めて前記次の出力のための印刷データの濃度値に色補正値を加算しているものであるが、ここでいう減算及び加算は文字通りの算術的な意味での減算及び加算を意味しているものではなく、補正値を求めることと、その補正値で印刷データを補正することとが相補的な関係にあることを意味しているものと理解すべきである。であるからして、請求項１発明の色補正方法は、各色の濃度目標値と測定値とから補正値を求め、その補正値で次の印刷データの各色信号を補正しているものといえる。
　ところが、画像形成装置における画像濃度の補正において、濃度目標値と測定値とから補正値を求め、その補正値で各色信号を補正することは周知である（例えば、特開昭６３−１０６７６３号公報、特開昭５４−８６３５３号公報参照）。また、引用例２の摘記事項（ｉ）には、「レーザ２１の光量、…をかえる事でさらに補正範囲を広くする事が出来る。」との記載があり、このことはレーザの駆動信号である色信号の補正を行ない、補正された色信号によってレーザの光量を変えることを意味するものとして把握されるから、前記引用例第１発明が色信号を補正することによっても濃度の補正を出来るものであることは当業者にとって容易に理解できることである。それ故、引用例第１発明の色補正手段として前記周知技術を用いて請求項１発明の構成とすることは当業者が容易に想到し得たことである。
　次に、引用例２に開示された第２の発明（以下、「引用例第２発明」という。）と本件請求項２に係る発明（以下、「請求項２発明」という。）とを対比すると、「カラー複写機のプリンタ」、「感光ドラム」、「ホトセンサユニット」、「画像信号」、「チャートを読んだのと同じ信号を発生する回路」、「テストチャート」、「チャート画像」、及び「複写紙」、がそれぞれ請求項２発明における、「電子写真方式のカラープリンタ」、「感光体」、「測定部」、「印刷データ」、「テストパターン格納部」、「テストパターン」、「テストパターン像」、及び「印刷用紙」に相当することは明らかであるので、両者は、
「電子写真方式のカラープリンタにおいて、
　ドラム上の外表面が受光されて感光するように形成された感光体と、感光体外周部の現像部下流側に配置した測定部と、測定結果を前処理する前処理部と、テストパターンを格納するテストパターン格納部と、印刷データが準備されると、必要に応じてテストパターンをテストパターン格納部から出力させてテストパターン像を形成させ、測定部に印刷用紙への転写以前に測定させ、その測定データを前処理部で前処理させ、その前処理されたデータに基づき、次の出力のための印刷データを、各色の補正条件を求めて前記次の出力のための印刷データを前記補正条件で補正して、印刷データを出力する直前の状況を読み取らせてテストパターン像を印刷用紙へ転写することなく色補正する主処理部とを備えたことを特徴とするカラープリンタの色補正装置。」で一致し、▲１▼請求項２発明が印刷データ格納部を有しているのに対し、引用例第２発明ではその点については明記されていない点、及び▲２▼印刷データの色補正方法に関して前記請求項１発明と引用例第１発明との相違点と同じ点、で相違する。
　相違点▲１▼及び▲２▼について検討する。
　相違点▲１▼に関しては、デジタル式の画像形成装置においては印刷データを記憶部にいったん保存することは常套手段であって（例えば、特開昭５９−１６３９６９号公報参照）、引用例第２発明もデジタル式の画像形成装置に関するものであることは明らかであるから、前記相違点は当業者が適宜なし得た程度のものと認められる。
　相違点▲２▼に関しては、前記請求項１発明に関して検討したとおりである。
　そして、本件明細書記載の効果も引用例２の記載から容易に予測できた程度のものと認められる。
　したがって、請求項１及び２に係る発明は、いずれも引用例２に記載の発明及び周知技術から当業者が容易に想到できたものと認められる。
４．むすび
　以上のとおりであるから、本件請求項１及び２に係る発明は、特許法第２９条第２項の規定により特許を受けることができない。
　よって、結論のとおり審決する。